(57)【要約】【課題】従来の排水システムのような特殊な合流継手を使用することのないシステムであり、排水立管と器具排水管との排水の合流をスム−ズになし、しかも各管は比較的細い管で構成した排水システムを提供するものである。【解決手段】排水立管と、器具排水管と、排水立管の近傍に先端を垂下させた多数のベンド管を束ね、先端部に合流部を有する器具排水管ユニットと、排水立管内に形成し立管の内壁に添って噴射する噴射口と、からなり、各器具排水管は合流することなくその先端をベンド管に連結してなり、器具排水管ユニットは噴射口に連結され、水廻り器具からの排水は、器具排水管内をサイフォン流れとし、器具排水管ユニット内にて垂直方向に速度成分を変化され、かつ、噴射口より立管の内壁に添って噴射され、その後、排水立管内の排水と合流する建築排水システム。【選択図】図１
2006207190.tif 000002
【特許請求の範囲】
【請求項１】
高層建物を上下に貫く排水立管と、水廻り器具からの器具排水管と、排水立管の近傍に先端を垂下させた多数のベンド管を束ね、先端部に合流部を有する器具排水管ユニットと、排水立管内に形成し立管の内壁に添って噴射する噴射口と、からなり、各器具排水管は合流することなくその先端をベンド管に連結してなり、器具排水管ユニットは噴射口に連結されたものであり、水廻り器具からの排水は、器具排水管内をサイフォン流れとし、器具排水管ユニット内にて垂直方向に速度成分を変化され、かつ、噴射口より立管の内壁に添って噴射され、その後、排水立管内の排水と合流することを特徴とする建築排水システム。
【請求項２】
前記噴射口に接続して逆止機構を備えた請求項１記載の建築排水システム。
【請求項３】
請求項１に記載の建築排水システムに用いられる器具排水管ユニットであって、ほぼ水平方向に開口して器具排水管に接続する受口となるベンド管と、これより垂直方向に伸びる垂下管と、当該複数の垂下管を集束してなり、前記垂下管の先端に合流管を接続し、当該合流管にて各垂下管からの排水流れを一つに合流し、かつ、この合流管より排水立管に接続する管路を備えたことを特徴とする器具排水管ユニット。
【請求項４】
器具排水管に接続する受口が水平方向に一又は複数列をなす請求項３記載の器具排水管ユニット。
【発明の詳細な説明】
【技術分野】
【０００１】
本発明は主として高層建物における新規な建築排水システム（以下、単に排水システムという）及びこれに用いる器具排水管ユニットに関するものである。
【背景技術】
【０００２】
近年、高層集合住宅等における排水システムは各階からの排水に対して特殊な継手を使用して排水立管に合流する排水システムが採用されている。かかる排水システムの基本はスイスのソベント社の提案した排水システムが基本となっており、その技術は各階の大径の器具排水管に勾配をつけ、水平方向から排水立管内に合流するものである。しかるに、この排水流れがあまりに遅い垂直速度であることで起こる局所的充水率の急増がスラグ流（脈流）を発生させ、通気抵抗の異常上昇による管内圧力変動に繋がってしまう。このため、排水能力の低下現象を克服するため、継手形状の特殊化で排水に旋回流を起こさせ、かつ継手の胴体部拡径（立管断面積の３〜４倍相当）の水平断面確保で継手容量を増し排水能力を確保していた。
【０００３】
上記のソベント社による特殊継手による排水システムは、通気立管のない単管式を採用し、各階合流部の排水立管継手に工夫を凝らし、高層建築への適用性にもかなうものとして開発が行われている。しかるに、一般に便器の排水流量の瞬時最大流量が大きく固形物搬送もあり器具排水管は７５Ａと大径であり、これに伴い排水立管径は１００Ａとなり、３０階を越える高層の建物では１２５〜１５０Ａ程度になってしまう。そして、排水立管径が１００Ａであっても、継手の胴体部外径は１５０〜１８０ｍｍ程度となってしまい、１５０Ａ管の外径と同等かそれ以上となる。
【０００４】
そして、排水立管内壁に器具排水管の流れを横方向から合流させると、横方向からの排水流れは排水立管の断面を横切って対向する管壁に衝突し、飛散して下方向に落下する流れとなり、流水騒音源となるばかりでなく、排水立管の排水流れの摩擦努断力により下方向に帯同降下する通気流の局部抵抗となり、通常、合流部直下で起き易いシステム最小負圧を成長させることになってしまう（特許文献１）。
【０００５】
【特許文献１】特開平１０−３３２０６６号（図１、図２）
【０００６】
更に言えば、排水立管に合流する器具排水管の径が太い（同径又は１サイズ小径）場合は、器具排水管流れと立管流れが衝突すると、主として器具排水管の排水が立管の断面を横切り閉塞するためと、垂直速度が極端に小さい排水流れが排水立管内断面を覆い尽くすほどの充水率上昇（水塊）を招き、排水立管内を下降する空気流の局部抵抗となり、又、この魂が不規則に降下するため、継手合流部直下部で「システム最小圧力変動」が発達し、４００（Ｐａ）を越えると他の衛生器具群の封水が破封してシステムダウンとなる。
【０００７】
そして、通常は鋳鉄製の継手が用いられているが、重量があり、かつ大きいため、施工性は一般によくない。古くは排水立管も鋳鉄管が使われていたが、最近では、同じ理由で、やや軽量な硬質塩ビライニング鋼管が多く使われている。しかし、塩ビの使用やリサイクルに適さない構造と材料である。
【発明の開示】
【発明が解決しようとする課題】
【０００８】
本発明は、排水立管と器具排水管との排水の合流をスム−ズになし、しかも各管は比較的細い管で構成した排水システムを提供するもので、従来のような胴体外形が大きな、かつ、重い特殊な合流継手を使用することのない新たな排水システム、及びこのシステムに用いられる器具排水管ユニットを提供することを目的としている。
【課題を解決するための手段】
【０００９】
本発明の第１の要旨は、高層建物を上下に貫く排水立管と、水廻り器具からの器具排水管と、排水立管の近傍に先端を垂下させた多数のベンド管を束ね、先端部に合流部を有する器具排水管ユニットと、排水立管内に形成し立管の内壁に添って噴射する噴射口と、からなり、各器具排水管は合流することなくその先端をベンド管に連結してなり、器具排水管ユニットは噴射口に連結されたものであり、水廻り器具からの排水は、器具排水管内をサイフォン流れとし、器具排水管ユニット内にて垂直方向に速度成分を変化させ、かつ、噴射口より立管の内壁に添って噴射され、その後、排水立管内の排水と合流することを特徴とする建築排水システムを提供するもので、通常は器具排水管は可撓性樹脂管や耐食性金属管であり、好ましくは噴射口に接続して逆止機構を備えるのがよい。
【００１０】
本発明の第２の要旨は、上記第１の発明に用いられる器具排水管ユニットであって、ほぼ水平方向に開口して器具排水管に接続する受口となるベンド管と、これより垂直方向に伸びる垂下管と、当該複数の垂下管を集束してなり、前記垂下管の先端に合流管を接続し、当該合流管にて各垂下管からの排水流れを一つに合流し、かつ、この合流管より排水立管に接続する管路を備えたことを特徴とする器具排水管ユニットであって、器具排水管に接続する受口が束ねられ、或いは水平方向に一又は複数列をなすユニットである。
【発明の効果】
【００１１】
本発明の排水システムによれば、排水立管は比較的細い管が採用可能であり、しかもこれに合流する器具排水管も又細いものでよく、しかも合流箇所での不都合もなく、高層建築にも十分適用可能なシステムが提供できたものである。
【００１２】
しかも比較的安価な、数の少ない部材をもって全体が構成されるため、施工工数も少なく、熟練度もそれほど必要がないという優れた排水システムを提供できたものである。
【００１３】
又、本発明の器具排水管ユニットによれば、器具排水からの排水を効率よく立管の排水と合流可能としたものであり、更に、この器具排水管ユニットは工場にて組み立て可能であり、施工現場での調整等が特別必要でなくなるという特徴がある。
【発明を実施するための最良の形態】
【００１４】
本発明は以上の通りであり、器具排水管に無理に勾配をつけることなく、又、ソベント社の継手にて代表される特殊継手を用いることなく、新規な排水システムを提供するもので、その第１の特徴は、各器具からの器具排水管を小径の勾配なし可撓器具排水管を用い、かつサイフォン力にて排水流れとするものであり、第２の特徴としては、この器具排水管を排水立管に合流する前に、夫々を下向きに９０度屈曲する器具排水管ユニットに導き、器具排水管の排水流れを垂直方向の速度成分を変化させてから一つに合流し、最後に排水立管の管壁に備えた噴射口より排水立管内壁に沿って下向きに噴射するものである。このように、器具排水管からの排水を満流とし、かつ高垂直方向成分の速度をもって排水立管の内壁に添って下向きの流れを形成したもので、上層部からの排水立管内の流れとスムーズな合流を達成するものである。
【００１５】
第１の特徴について言えば、器具排水管は排水の漏れ、詰まり等をなくすため、いずれも横管の途中にて合流せず、立管への合流の直前で一つの流れに合流して立管内へ噴射するものである。そして、器具排水管は可撓性樹脂管又は耐食金属管が採用され、その施工作業性は極めて効率的である。しかも無勾配配管で十分であり、その施工の容易さは従来の勾配を付ける配管とは比ぶべくもない。勿論、従来の勾配を備えた配管であってもよく、更に、逆に言えば、若干の逆勾配がもたらされた配管であっても使用可能である。
【００１６】
この合流形式は、在来型排水継手や特殊継手排水システムのように器具排水管からゆっくりした垂直速度成分による合流ではなく、器具排水管流れの垂直成分速度としては在来方式の１００倍以上の速度として合流させるものである。
【００１７】
第２の特徴について更に言及すると、従来の排水立管と器具排水管との合流にあって、立管内の排水量に比較して器具排水管からの排水の量が比較的少ない場合にはそれほど問題とはならないが、器具排水管からの排水の量が増すにつれて合流の際の不具合が顕著になってくることが判明した。即ち、前述したように器具排水管からの排水の量が増すと、排水が立管内の排水と直ちに合流せずに立管内を横切り対向する立管内面にまで達してしまうことになる。
【００１８】
従って、合流部における器具排水管からの排水の立管内面への衝突音、器具排水管からの排水と立管からの排水との合流音が生じ、更には、器具排水管からの排水が立管内部を横切ることから来る局部的充水率の異常上昇が生じ、これによって立管内の負圧の発生による不具合等があり改善が要求されていた。即ち、伸頂通気方式排水システムに必須の排水立管内の通気断面積を確保することができなくなるという問題が生じるものである。
【００１９】
このため、本発明は器具排水管からの排水の垂直方向の速度成分の変化をもたらし、器具の同時排水を合流させて一つの流れとし、これを排水立管の内壁に添って噴射して立管内の上方排水と合流させるものである。このため、両者の合流はスム−ズになり、しかも内壁に添って下向きに噴射することから排水の流れは管内壁を巻く環状流れとなるため、結果的に立管内壁を洗浄する効果を伴い、自浄作用の高い排水立管となるという有利な点もある。
【００２０】
本発明にあって、器具排水管内の排水を垂直方向に速度成分の変化をもたらす必要があるが、これは、排水立管の近傍にて、第２発明、即ちベンド管及び／又は垂下管を束ねて器具排水管ユニットを装着しておき、これに器具排水管を連結するだけでよく、これによって器具排水管の排水駆動力を生み出すことになる。尚、ベンド管及び垂下管は金属管や樹脂管であり特に限定はない。
【００２１】
本発明の第２の器具排水管ユニットにあって、ベンド管の器具排水管に接続する受口は全てのベンド管を束ねておくのもよいが、これを水平方向に一又は複数列に配置しておくことも可能である。勿論、必ずしも開口方向を異ならせておくこともできるものである。受口に接続される器具排水管は無勾配配管であり、その施工の容易さは従来の勾配を付ける配管とは比ぶべくもない。勿論、従来の勾配を備えた配管であってもよく、更に、逆に言えば、若干の逆勾配がもたらされた配管であっても使用可能である。
【００２２】
又、排水立管への合流の直前で一つの流れに合流するが、その際の合流について述べれば、一住戸には多い時には６〜７の水廻り器具を設置するが、これが全て同時に使用されることは少なく、統計上９９％の確率で２つの器具から同時排水が行われる程度であり、合流管の管径は大掛かりなものを必要とせず、従来使用している管径のものよりも縮径可能である。
【００２３】
更に、排水立管内に噴射口を備える必要があるが、これも、予めユニット化しておくのがよく、例えば、排水立管の周囲を覆って装着するソケットと、ソケットより内側に突出し下向きにスリットが形成された噴射口と、この噴射口に連続してソケットより外向きに突出した接続口とを備えた合流継手ユニットを構成するのが好ましい。尚、噴射口の先端に逆止機構を備えれば、異常時の逆流防止に効果的である。
【００２４】
本発明は以上の通りであり、結果として排水立管用特殊継手の資源と開発技術が不要となり、かつ、局部的充水率の異常上昇が起きない構造の排水立管への合流方式であり、全く新たな排水メカニズムと排水流れを制御した排水システムである。そして、排水立管への接合にあっても、例えば特許文献２に示すような特殊で重量のある排水立管継手等を用いる必要のない排水システムが提供できたものである。
【００２５】
【特許文献２】特開２００３−２２７１５７号公報
【００２６】
更に言うと、従来の排水システムにあっては、排水立管を細くするという一つの目的のため、逆に排水継手が太く、大きく、しかも重量の重いものを採用していたが、本発明にあっては、かかる継手を採用せず、排水立管のみで伸頂通気方式排水システムを構成するもので、従来のような大掛かりな継手を使用しない替わりに、従来の排水立管と同径かやや太い排水立管を用いるのがよい。これは資源的に見て、大掛かりな特殊な継手を多数採用するよりは軽量で安価につくものであり、施工工数的にも排水システム全体としても優れたものであるということができる。
【００２７】
尚、器具排水管のサイフォン流れについては、本特許出願人による提案がなされておりここでは言及しない（特許文献３、４）。
【００２８】
【特許文献３】特開２００２−３０２９７７号公報
【００２９】
【特許文献４】特開２００３−２０１７２７号公報
【実施例】
【００３０】
以下、本発明を実施例をもって更に詳細に説明する。
図１は本発明の第１である排水システムの全体図である。図中、符号１は排水立管であり、この例では管径１２５Ａで薄肉のステンレス鋼板製の立管である。２は各階における水廻り器具であり、これらの器具２から夫々独立して器具排水管３が連結している。かかる器具排水管３は２０Ａのポリブテン製の可撓性樹脂管である。これらは床上に無勾配で置かれ、床上では合流されることはない。
【００３１】
４は器具排水管ユニットであり、Ｌ字状の樹脂又はステンレス鋼板製ベンド管５が（例えば７本）一つに束ねられて構成されており、通常は、図示するように排水立管１の近傍に備えられ、床上に位置するベンド管５の先端に任意の手段にて前記した器具排水管３が夫々連結されることになる。ベンド管５の一方の端部は垂直に０．５〜２．５ｍ程垂下管５ａが接続されており、合流管６にて一つの流れにまとめられる。この垂直方向の長さが排水流れに垂直方向の速度を与えることになる。このような排水管ユニット４は予め束ねられて一つのユニットとされているのが施工作業上好ましいものである。
【００３２】
一方、排水立管１には下向きに噴射口７が備えられ、合流管６と噴射口７とを連結して器具排水管３内の排水は排水立管１内に噴射される。噴射口７はやや斜め方向を可とする下向きに備えられ、排水立管１内を流下する排水流れとは直角方向にはぶつかり合わないようにするものである。好ましくは、排水立管１の内壁に添って流下するように噴射するものであり、垂直方向の速度は１〜１．５ｍ／ｓ程度である。これは器具排水管からの排水流れの垂直速度は従来の横管の排水流れの１００〜１５０倍の高速で合流するので、合流部の立管断面閉塞と局部的充水率上昇がなく、かつ、かかる排水の流れは排水立管１の内壁を伝い、通常は環状の流れを描いて流下し、その後スム−ズに排水立管１内の排水流れと合流することになる。
【００３３】
図２は排水立管１に備えられる噴射口７を備えた継手１０を示し排水立管１の下側より見た図であり、図３はその分解図である。この継手１０は排水立管１を囲む一対のソケット１１、１２とこの一方側１１に短管１３が備えられ、この短管１３には先端に下向きの噴射口７を形成したパイプ１４が例えばねじ込まれるものであり、排水流れは立管１の内壁を垂直高速流として下降し、排水立管１内の排水と合流することになる。パイプ１４の他端１５は前記した合流管６に連結される。尚、図示はしないが、噴射口７に任意の逆止機構を備えるのが好ましく、例えば、排水立管１内の排水の逆流や洗剤等による泡の逆流入等を防ぐことになる。
【００３４】
このような継手１０を採用することにより、排水立管１にパイプ１４の先端が嵌るだけの穴を開けるだけで作業が行われるもので、その作業も従来の特殊な管継手の場合よりもいたって簡便に作業が完了する。しかも、従来の継手はリフォ−ム時における適合性に欠ける場合があったが、本発明の場合には、排水立管１への継手の装着はいたって簡単であり、リフォ−ム時の水廻り器具の配置の変更や増設にも簡単に応ぜられることになる。
【００３５】
排水立管側から言えば、工場で予めアルゴン溶接又はハンダ付け接合加工し、現場溶接又はハンダ付け組立てとし、排水立管は各階を貫く単純な排水立管となる。
【００３６】
図４は第２発明の器具排水管ユニット４の詳細図である。この例では７本のベンド管５が用いられ、頭部５ａを一方向（水平方向）に向け、垂下管５ｂを束ねたものである。頭部５ａは水平方向に開口して器具排水管を接続する受口部位である。ベンド管５を束ねる材料は特に限定はなく省略する。そして、垂下管５ｂの先端に合流管６を接続し、合流管６内にて各ベンド管５からの排水流れを一つに合流する。その合流管６には排水立管に接続する管路５ｃを備えたものであり、この管路５ｃが上記の噴射口７に接続し、第１発明の排水システムを構成する。尚、垂下管５ｂの長さが排水流れの速度成分を決定する要因であり、通常は１〜２ｍ程度である。尚、垂下管５ｂはベンド管５と一体のものでもよいことは勿論である。
【００３７】
図５は第２発明の器具排水管のベンド管５の器具排水管を接続する受口を正面から見た例であり、図５（ａ）は受口を束ねた例、図５（ｂ）は一列に配列した例、図５（ｃ）は二列に配列した例である。
【００３８】
以上、第１発明の排水システムにおける器具排水管からの排水の流れを中心に述べれば、サイフォン流れをもって器具排水管ユニット４のベンド管５の頭部５ａより流入し、そして、このベンド管５に接続された垂下管５ｂにて下向きに速度成分を変化され、噴射口７にて更に速度成分を変化させて高速壁面環状流を形成し、立管の断面を横断しない充水率の低い流れとなり、通気抵抗を最小化し、システム最小圧力を緩和し排水立管の排水能力増に寄与することとなる。
【産業上の利用可能性】
【００３９】
本発明は以上の通りであり、通常の集合住宅やオフィスビルに採用できることは勿論、現在数多く建築され、或いは計画されているような超高層ビルの排水システムにも利用可能な優れた排水システムである。
【図面の簡単な説明】
【００４０】
【図１】図１は本発明の第１の排水システムの概念図である。
【図２】図２は本発明の排水システムの用いる噴射口を構成する継手である。
【図３】図３は図２の継手の分解図である。
【図４】図４は本発明の第２の器具排水管ユニットである。
【図５】図５は本発明の第２の器具排水管ユニットの受口の正面図である。
【符号の説明】
【００４１】
１‥排水立管、
２‥水廻り器具、
３‥器具排水管、
４‥器具排水管ユニット、
５‥ベンド管、
５ａ‥頭部、
５ｂ‥垂下管、
５ｃ‥管路、
６‥合流管、
７‥噴射口、
１０‥継手、
１１、１２‥ソケット、
１３‥短管、
１４‥パイプ。
【図１】
2006207190.tif 000003
【図２】
2006207190.tif 000004
【図３】
2006207190.tif 000005
【図４】
2006207190.tif 000006
【図５】
2006207190.tif 000007